(57)【要約】  【課題】  簡便な方法により製造可能であり、色ムラの発生やコントラストの低下が抑制されて表示性能に優れた画像表示媒体、及び、その画像表示媒体の製造方法を提供すること。  【解決手段】  本発明の画像表示媒体は、電気泳動媒体を区画する隔壁が流動性物質により構成されているので、画像表示媒体全体が可撓性を有する場合に、画像表示媒体が撓曲されても、隔壁の破損が防止される。また、電気泳動媒体と隔壁用媒体との相分離を利用して隔壁を形成するので、複雑な工程を必要とすることなく簡便に画像表示媒体を得ることができ、コストも安価である。  【選択図】    図２
2006106119.tif 000002
【特許請求の範囲】
【請求項１】
実質的に平行に離間されて配置される一対の基板と、帯電された粒子を含有し、前記一対の基板間に配置される電気泳動媒体とを備え、前記一対の基板間に発生される電界によって前記電気泳動媒体に含まれる前記帯電された粒子が移動されて表示状態を切り換えることが可能な画像表示媒体において、
前記電気泳動媒体に対して少なくとも室温で相分離し得る流動性物質であり、前記一対の基板間に配置されて前記電気泳動媒体と相分離した状態において、該電気泳動媒体を区画する位置に隔壁として配置される隔壁用媒体を備えていることを特徴とする画像表示媒体。
【請求項２】
前記隔壁用媒体より前記電気泳動媒体に対してより親和性を有する第１表面処理部と、
前記電気泳動媒体より前記隔壁用媒体に対してより親和性を有する第２表面処理部とを備え、
その第２表面処理部は、前記一対の基板のうち少なくとも一方の基板における前記隔壁用媒体と接触する面に、前記隔壁の形状に応じて配置され、一方で、前記第１表面処理部は、前記一対の基板のうち少なくとも一方の基板における前記電気泳動媒体と接触する面における、該電気泳動媒体を配置させるべき位置に配置されていることを特徴とする請求項１記載の画像表示媒体。
【請求項３】
前記第１表面処理部及び前記第２表面処理部は、透明であり、前記一対の基板のうち、ユーザによって表示が視認される側の基板に設けられていることを特徴とする請求項２記載の画像表示媒体。
【請求項４】
前記電気泳動媒体及び前記隔壁用媒体は、それぞれ、他方に対して不溶である溶媒又は他方に対して不溶である溶媒を含む溶液のいずれかであることを特徴とする請求項１から３のいずれかに記載の画像表示媒体。
【請求項５】
前記電気泳動媒体又は前記隔壁用媒体の一方は、水又は水溶液であり、他方は、水に不溶な溶媒又はその溶媒を含む溶液であることを特徴とする請求項４記載の画像表示媒体。
【請求項６】
前記隔壁用媒体は、水又は水溶液であり、前記電気泳動媒体は、水に不溶な溶媒又はその溶媒を含む溶液であることを特徴とする請求項４又は５記載の画像表示媒体。
【請求項７】
前記水に不溶な溶媒は、芳香族炭化水素溶媒、脂肪族炭化水素溶媒、ハロゲン化炭化水素溶媒、シリコーンオイル、又は、高純度石油のいずれか単独、あるいは、これらの２種以上を含む混合物であることを特徴とする請求項４から６のいずれかに記載の画像表示媒体。
【請求項８】
前記隔壁用媒体は、無色又は白色であることを特徴とする請求項１から７のいずれかに記載の画像表示媒体。
【請求項９】
前記帯電された粒子は、前記隔壁用媒体より前記電気泳動媒体に対してより親和性を示す表面を有するものであることを特徴とする請求項１から８のいずれかに記載の画像表示媒体。
【請求項１０】
前記一対の基板における互いに対向する側の面上に一対の電極がそれぞれ設けられ、
前記一対の電極における各電極の表面に、耐液性の保護膜を備えていることを特徴とする請求項１から９のいずれかに記載の画像表示媒体。
【請求項１１】
前記保護膜は、含フッ素化合物を含有する保護膜であることを特徴とする請求項１０記載の画像表示媒体。
【請求項１２】
前記一対の基板はそれぞれ可撓性を有することを特徴とする請求項１から１１のいずれかに記載の画像表示媒体。
【請求項１３】
前記一対の基板間の距離を所定距離以上に保持するために、該一対の基板間に配置されるスペーサ粒子を備えていることを特徴とする請求項１から１２のいずれかに記載の画像表示媒体。
【請求項１４】
前記スペーサ粒子は、前記電気泳動媒体より前記隔壁用媒体に対してより親和性を示す表面を有するものであることを特徴とする請求項１３記載の画像表示媒体。
【請求項１５】
前記一対の基板の間に、該一対の基板における少なくとも一方の基板上に固定された塊状の固定隔壁を備えていることを特徴とする請求項１から１４のいずれかに記載の画像表示媒体。
【請求項１６】
前記固定隔壁は、前記一対の基板における一方の基板上に固定され、他方の基板とは離間されていることを特徴とする請求項１５記載の画像表示媒体。
【請求項１７】
前記固定隔壁とその固定隔壁と離間されている側の基板との間に、前記隔壁用媒体が配置されていることを特徴とする請求項１６記載の画像表示媒体。
【請求項１８】
前記固定隔壁における前記基板と離間されている側を向く表面、又は、その表面に対応する、固定隔壁と離間されている側の基板の面は、前記電気泳動媒体より前記隔壁用媒体に対してより親和性を有することを特徴とする請求項１６又は１７記載の画像表示媒体。
【請求項１９】
実質的に平行に離間されて配置される一対の基板と、帯電された粒子を含有し、前記一対の基板間に配置される電気泳動媒体とを備え、前記一対の基板間に発生される電界によって前記電気泳動媒体に含まれる前記帯電された粒子が移動されて表示状態を切り換えることが可能な画像表示媒体の製造方法において、
前記電気泳動媒体とその電気泳動媒体に対して少なくとも室温で相分離し得る流動性物質である隔壁用媒体との混合物を、前記一対の基板のうち少なくとも一方の基板における他方の基板に対向する側の面上に配置する媒体配置工程と、
その媒体配置工程によって前記基板上に配置された前記混合物における前記電気泳動媒体と前記隔壁用媒体とを互いに相分離させることによって、該隔壁用媒体を、該電気泳動媒体を区画する位置に隔壁として配置させる隔壁形成工程とを備えていることを特徴とする画像表示媒体の製造方法。
【請求項２０】
前記隔壁用媒体より前記電気泳動媒体に対してより親和性を有する第１表面処理部を、前記一対の基板のうち少なくとも一方の基板における他方の基板に対向する側の面上の前記電気泳動媒体を配置させるべき位置に設け、一方で、前記電気泳動媒体より前記隔壁用媒体に対してより親和性を有する第２表面処理部を、前記一対の基板のうち少なくとも一方の基板における他方の基板に対向する側の面上の前記隔壁の形状に応じた位置に設ける表面処理工程を備えていることを特徴とする請求項１９記載の画像表示媒体の製造方法。
【請求項２１】
前記帯電された粒子は、前記隔壁用媒体より前記電気泳動媒体に対してより親和性を有することを特徴とする請求項１９又は２０記載の画像表示媒体の製造方法。
【請求項２２】
前記表面処理工程による表面処理の前に、含フッ素化合物を含有する液体を塗布することによって前記一対の電極のそれぞれの表面に耐液性の保護膜を形成する保護膜形成工程を備えていることを特徴とする請求項１９から２１のいずれかに記載の画像表示媒体の製造方法。
【発明の詳細な説明】
【技術分野】
【０００１】
本発明は、画像表示媒体及び画像表示媒体の製造方法に関し、特に、色ムラを抑制し表示性能に優れた画像表示媒体、及びその画像表示媒体の製造方法に関する。
【背景技術】
【０００２】
従来より、繰り返し書き換え可能な画像表示媒体として、電気泳動方式の画像表示媒体が提案されている。電気泳動方式の画像表示媒体では、ある画素に含まれる帯電粒子（電気泳動媒体に電界が発生することによって泳動する粒子）が隣接する画素に移動すると、色ムラが発生したりコントラストが低下するという問題があり、その問題を解決するために、多くの画像表示媒体では、各画素間に隔壁を設け、画素間において帯電粒子が移動しないように構成されている。
【０００３】
例えば、特開２００３−２０２６０１号公報（特許文献１）には、基板に感光性樹脂組成物を含む感光性ペーストを塗布し、フォトマスクを用いて隔壁に相当する部位にのみ露出し、感光性ペーストを硬化させた後、現像し、焼成することによって形成された隔壁を有する画像表示装置が記載されている。
【０００４】
また、画像表示媒体として、その全体が可撓性を有するものがある。ここで、図９は、そのような可撓性を有する画像表示媒体１００に、固体状の隔壁１４０が設けられている場合の問題点について説明するための図である。図９（ａ）は、可撓性を有する画像表示媒体１００が撓曲されていない状態を示す図であり、図９（ｂ）は、可撓性を有する画像表示媒体１００が撓曲された状態を示す図である。なお、画像表示媒体１００は、基板１２０と、その基板１２０に対して実質的に平行に配置される基板１３０と、基板１２０及び基板１３０のそれぞれ対向するように設けられた一対の電極であって、単純マトリックス方式の電極として直交する複数のライン状に設けられた電極１２０ａ及び電極１３０ａと、基板１２０と基板１３０との間に設けられた固体状の隔壁１４０と、基板１２０と基板１３０との間に充填される非図示の電気泳動流体（帯電粒子が分散された電気泳動媒体）とを備えるものである。
【０００５】
図９（ｂ）に示すように、特許文献１に記載されるような固体状の隔壁１４０が設けられた可撓性を有する画像表示媒体１００が撓曲されると、隔壁１４０が歪みに耐えられずに破損したり、接合部が剥離してしまうという問題点があった。
【０００６】
上記のような問題を解決するために、例えば、特開２００３−１５１６６号公報（特許文献２）には、隔壁が形成されていない側の基板に柔軟な表面層を設けて、その表面層に隔壁を押しつけることによって隔壁と基板との隙間を封止した電気泳動表示装置が記載されている。特許文献２に記載される電気泳動表示装置では、柔軟な表面層によって隔壁自体が変形されることが防止され、その結果として、隔壁の破損が防止される。
【特許文献１】特開２００３−２０２６０１号公報
【特許文献２】特開２００３−１５１６６号公報
【発明の開示】
【発明が解決しようとする課題】
【０００７】
しかしながら、特許文献２に記載される電気泳動表示装置は、基板が撓曲されても隔壁が破損されることが防止できるが、柔軟な表面層を設ける工程があることによって製造工程が複雑化する上に、部品点数が増えることによって製造コストが増大するという問題点があった。
【０００８】
また、固体状の隔壁を設ける工程そのものが、一般的に多くの工程からなるために複雑なものであるという問題点がある。また、また、固体状の隔壁を基板上に一旦設けてしまうと、全ての画素に電気泳動流体を均一に充填することが困難になり、その結果として、色ムラがあったり、コントラストの低い画像表示媒体が得られるという問題点もある。
【０００９】
本発明は、上述した問題点を解決するためになされたものであり、簡便な方法により製造可能であり、色ムラの発生やコントラストの低下が抑制されて表示性能に優れた画像表示媒体、及び、その画像表示媒体の製造方法を提供することを目的としている。
【課題を解決するための手段】
【００１０】
この目的を達成するために、請求項１記載の画像表示媒体は、実質的に平行に離間されて配置される一対の基板と、帯電された粒子を含有し、前記一対の基板間に配置される電気泳動媒体とを備え、前記一対の基板間に発生される電界によって前記電気泳動媒体に含まれる前記帯電された粒子が移動されて表示状態を切り換えることが可能なものであり、前記電気泳動媒体に対して少なくとも室温で相分離し得る流動性物質であり、前記一対の基板間に配置されて前記電気泳動媒体と相分離した状態において、該電気泳動媒体を区画する位置に隔壁として配置される隔壁用媒体を備えている。
【００１１】
請求項２記載の画像表示媒体は、請求項１記載の画像表示媒体において、前記隔壁用媒体より前記電気泳動媒体に対してより親和性を有する第１表面処理部と、前記電気泳動媒体より前記隔壁用媒体に対してより親和性を有する第２表面処理部とを備え、その第２表面処理部は、前記一対の基板のうち少なくとも一方の基板における前記隔壁用媒体と接触する面に、前記隔壁の形状に応じて配置され、一方で、前記第１表面処理部は、前記一対の基板のうち少なくとも一方の基板における前記電気泳動媒体と接触する面における、該電気泳動媒体を配置させるべき位置に配置されている。
【００１２】
なお、請求項２において、「その第２表面処理部は、前記一対の基板のうち少なくとも一方の基板における前記隔壁用媒体と接触する面に、前記隔壁の形状に応じて配置され、一方で、前記第１表面処理部は、前記一対の基板のうち少なくとも一方の基板における前記電気泳動媒体と接触する面における、該電気泳動媒体を配置させるべき位置に配置されている」とは、第１表面処理部及び第２表面処理部の両方が一対の基板のうちの一方のみに配置されていてもよいし、第１表面処理部及び第２表面処理部の両方が両方の基板上に配置されていてもよいし、第１表面処理部と第２表面処理部とがそれぞれ異なる基板上に配置されていてもよいことを意味する。
【００１３】
請求項３記載の画像表示媒体は、請求項２記載の画像表示媒体において、前記第１表面処理部及び前記第２表面処理部は、透明であり、前記一対の基板のうち、ユーザによって表示が視認される側の基板に設けられている。
【００１４】
請求項４記載の画像表示媒体は、請求項１から３のいずれかに記載の画像表示媒体において、前記電気泳動媒体及び前記隔壁用媒体は、それぞれ、他方に対して不溶である溶媒又は他方に対して不溶である溶媒を含む溶液のいずれかである。
【００１５】
なお、請求項４において、「前記電気泳動媒体及び前記隔壁用媒体は、それぞれ、他方に対して不溶である溶媒又は他方に対して不溶である溶媒を含む溶液のいずれか」とは、電気泳動媒体と隔壁用媒体との組み合わせが、互い不溶である溶媒同士の組み合わせであるか、互いに不溶である溶媒を含む溶液同士の組み合わせであるか、互い不溶である溶媒と互いに不溶である溶媒を含む溶液との組み合わせであることを意味する。
【００１６】
請求項５記載の画像表示媒体は、請求項４記載の画像表示媒体において、前記電気泳動媒体又は前記隔壁用媒体の一方は、水又は水溶液であり、他方は、水に不溶な溶媒又はその溶媒を含む溶液である。
【００１７】
請求項６記載の画像表示媒体は、請求項４又は５記載の画像表示媒体において、前記隔壁用媒体は、水又は水溶液であり、前記電気泳動媒体は、水に不溶な溶媒又はその溶媒を含む溶液である。
【００１８】
請求項７記載の画像表示媒体は、請求項４から６のいずれかに記載の画像表示媒体において、前記水に不溶な溶媒は、芳香族炭化水素溶媒、脂肪族炭化水素溶媒、ハロゲン化炭化水素溶媒、シリコーンオイル、又は、高純度石油のいずれか単独、あるいは、これらの２種以上を含む混合物である。
【００１９】
請求項８記載の画像表示媒体は、請求項１から７のいずれかに記載の画像表示媒体において、前記隔壁用媒体は、無色又は白色である。
【００２０】
請求項９記載の画像表示媒体は、請求項１から８のいずれかに記載の画像表示媒体において、前記帯電された粒子は、前記隔壁用媒体より前記電気泳動媒体に対してより親和性を示す表面を有するものである。
【００２１】
請求項１０記載の画像表示媒体は、請求項１から９のいずれかに記載の画像表示媒体において、前記一対の基板における互いに対向する側の面上に一対の電極がそれぞれ設けられ、前記一対の電極における各電極の表面に、耐液性の保護膜を備えている。
【００２２】
請求項１１記載の画像表示媒体は、請求項１０記載の画像表示媒体において、前記保護膜は、含フッ素化合物を含有する保護膜である。
【００２３】
請求項１２記載の画像表示媒体は、請求項１から１１のいずれかに記載の画像表示媒体において、前記一対の基板はそれぞれ可撓性を有する。
【００２４】
請求項１３記載の画像表示媒体は、請求項１から１２のいずれかに記載の画像表示媒体において、前記一対の基板間の距離を所定距離以上に保持するために、該一対の基板間に配置されるスペーサ粒子を備えている。
【００２５】
請求項１４記載の画像表示媒体は、請求項１３記載の画像表示媒体において、前記スペーサ粒子は、前記電気泳動媒体より前記隔壁用媒体に対してより親和性を示す表面を有するものである。
【００２６】
請求項１５記載の画像表示媒体は、請求項１から１４のいずれかに記載の画像表示媒体において、前記一対の基板の間に、該一対の基板における少なくとも一方の基板上に固定された塊状の固定隔壁を備えている。
【００２７】
請求項１６記載の画像表示媒体は、請求項１５記載の画像表示媒体において、前記固定隔壁は、前記一対の基板における一方の基板上に固定され、他方の基板とは離間されている。
【００２８】
請求項１７記載の画像表示媒体は、請求項１６記載の画像表示媒体において、前記固定隔壁とその固定隔壁と離間されている側の基板との間に、前記隔壁用媒体が配置されている。
【００２９】
請求項１８記載の画像表示媒体は、請求項１６又は１７記載の画像表示媒体において、前記固定隔壁における前記基板と離間されている側を向く表面、又は、その表面に対応する、固定隔壁と離間されている側の基板の面は、前記電気泳動媒体より前記隔壁用媒体に対してより親和性を有する。
【００３０】
請求項１９記載の画像表示媒体の製造方法は、実質的に平行に離間されて配置される一対の基板と、帯電された粒子を含有し、前記一対の基板間に配置される電気泳動媒体とを備え、前記一対の基板間に発生される電界によって前記電気泳動媒体に含まれる前記帯電された粒子が移動されて表示状態を切り換えることが可能な画像表示媒体の製造するための方法であり、前記電気泳動媒体とその電気泳動媒体に対して少なくとも室温で相分離し得る流動性物質である隔壁用媒体との混合物を、前記一対の基板のうち少なくとも一方の基板における他方の基板に対向する側の面上に配置する媒体配置工程と、その媒体配置工程によって前記基板上に配置された前記混合物における前記電気泳動媒体と前記隔壁用媒体とを互いに相分離させることによって、該隔壁用媒体を、該電気泳動媒体を区画する位置に隔壁として配置させる隔壁形成工程とを備えている。
【００３１】
なお、請求項１９において、「前記電気泳動媒体とその電気泳動媒体に対して少なくとも室温で相分離し得る流動性物質である隔壁用媒体との混合物を、前記一対の基板のうち少なくとも一方の基板における他方の基板に対向する側の面上に配置する」とは、一対の基板のうちの一方の基板の他方の基板に対向する側の面上に、電気泳動媒体とその電気泳動媒体に対して少なくとも室温で相分離し得る流動性物質である隔壁用媒体との混合物を配置することと、一対の基板間に電気泳動媒体を配置することとをいずれも含む。
【００３２】
請求項２０記載の画像表示媒体の製造方法は、請求項１９記載の画像表示媒体の製造方法において、前記隔壁用媒体より前記電気泳動媒体に対してより親和性を有する第１表面処理部を、前記一対の基板のうち少なくとも一方の基板における他方の基板に対向する側の面上の前記電気泳動媒体を配置させるべき位置に設け、一方で、前記電気泳動媒体より前記隔壁用媒体に対してより親和性を有する第２表面処理部を、前記一対の基板のうち少なくとも一方の基板における他方の基板に対向する側の面上の前記隔壁の形状に応じた位置に設ける表面処理工程を備えている。
【００３３】
請求項２１記載の画像表示媒体の製造方法は、請求項１９又は２０記載の画像表示媒体の製造方法において、前記帯電された粒子は、前記隔壁用媒体より前記電気泳動媒体に対してより親和性を有する。
【００３４】
請求項２２記載の画像表示媒体の製造方法は、請求項１９から２１のいずれかに記載の画像表示媒体の製造方法において、前記表面処理工程による表面処理の前に、含フッ素化合物を含有する液体を塗布することによって前記一対の電極のそれぞれの表面に耐液性の保護膜を形成する保護膜形成工程を備えている。
【発明の効果】
【００３５】
請求項１記載の画像表示媒体によれば、実質的に平行に離間されて配置される一対の基板の間に、帯電された粒子を含有する電気泳動媒体が配置されており、一対の基板間に電界が発生すると、該電気泳動媒体に含まれている帯電された粒子が移動し、それによって、表示状態が切り換えられる。そのような画像表示媒体において、電気泳動媒体に対して少なくとも室温で相分離し得る流動性物質である隔壁用媒体が、電気泳動媒体と相分離されると、該隔壁用媒体が、該電気泳動媒体を区画する位置に隔壁として配置される。
【００３６】
即ち、請求項１記載の画像表示媒体によれば、該電気泳動媒体を区画する隔壁が流動性物質により構成されている。よって、画像表示媒体全体が可撓性を有する場合に、画像表示媒体が撓曲されても、隔壁の破損が防止されるという効果がある。
【００３７】
また、電気泳動媒体と隔壁用媒体との相分離を利用して隔壁を形成するので、複雑な工程を必要とすることなく簡便に画像表示媒体を得ることができ、コストも安価であるという効果がある。
【００３８】
さらに、電気泳動媒体と隔壁用媒体との相分離を利用して隔壁を形成するので、隔壁の形成後に電気泳動流体（帯電された粒子を含む電気泳動媒体）が配置される場合に比べ、電気泳動流体が均一に配置されるので、色ムラが抑制され、コントラストの高い画像表示媒体を得ることができるという効果がある。
【００３９】
請求項２記載の画像表示媒体によれば、請求項１記載の画像表示媒体の奏する効果に加えて、一対の基板のうち少なくとも一方の基板における電気泳動媒体と接触する面における、該電気泳動媒体を配置させるべき位置に、隔壁用媒体より電気泳動媒体に対してより親和性を有する第１表面処理部が設けられ、一方で、一対の基板のうち少なくとも一方の基板における隔壁用媒体と接触する面に、隔壁の形状に応じて、電気泳動媒体より隔壁用媒体に対してより親和性を有する第２表面処理部が配置されているので、電気泳動媒体及び隔壁用媒体を、それぞれ、第１表面処理部及び第２表面処理部の設けられた位置に選択的に配置させることが容易であるという効果がある。
【００４０】
請求項３記載の画像表示媒体によれば、請求項２記載の画像表示媒体の奏する効果に加えて、第１表面処理部及び第２表面処理部は、透明であり、一対の基板のうち、ユーザによって表示が視認される側の基板に設けられているので、第１表面処理部及び第２表面処理部の存在によって画像の視認が妨げられることがない上に、視認される側に配置された第１表面処理部及び第２表面処理部の存在による電気泳動媒体の区画が精度よく行われるので、ユーザは品質の良い画像を視認することができるという効果がある。
【００４１】
請求項４記載の画像表示媒体によれば、請求項１から３のいずれかに記載の画像表示媒体の奏する効果に加えて、電気泳動媒体及び隔壁用媒体は、それぞれ、他方に対して不溶である溶媒又は他方に対して不溶である溶媒を含む溶液のいずれかであるので、これらの電気泳動媒体と隔壁用媒体とを容易に相分離できるという効果がある。
【００４２】
請求項５記載の画像表示媒体によれば、請求項４記載の画像表示媒体の奏する効果に加えて、電気泳動媒体又は隔壁用媒体の一方は、水又は水溶液であり、他方は、水に不溶な溶媒又はその溶媒を含む溶液であるので、これらの電気泳動媒体と隔壁用媒体とを容易に相分離できる上に、一方の媒体が水又は水溶液であるために利用し易いという効果がある。
【００４３】
請求項６記載の画像表示媒体によれば、請求項４又は５記載の画像表示媒体の奏する効果に加えて、隔壁用媒体は、水又は水溶液であり、電気泳動媒体は、水に不溶な溶媒又はその溶媒を含む溶液であるので、電気泳動媒体と隔壁用媒体とを相分離し易い上に、電気泳動媒体として、水に不溶な溶媒又はその溶媒を含む溶液を用いるので、絶縁性を必要とする電気泳動媒体として有利であり、画像表示媒体としての品質を高めることができるという効果がある。
【００４４】
請求項７記載の画像表示媒体によれば、請求項４から６のいずれかに記載の画像表示媒体の奏する効果に加えて、水に不溶な溶媒として、芳香族炭化水素溶媒、脂肪族炭化水素溶媒、ハロゲン化炭化水素溶媒、シリコーンオイル、又は、高純度石油のいずれか単独、あるいは、これらの２種以上を含む混合物を用いるので、絶縁性を必要とする電気泳動媒体として有利であり、画像表示媒体としての品質を高めることができるという効果がある。
【００４５】
請求項８記載の画像表示媒体は、請求項１から７のいずれかに記載の画像表示媒体の奏する効果に加えて、隔壁用媒体は、無色又は白色であるので、隔壁用媒体により形成された隔壁の色が、画像表示媒体によって表示される画像に対して悪影響を与えないという効果がある。
【００４６】
請求項９記載の画像表示媒体によれば、請求項１から８のいずれかに記載の画像表示媒体において、帯電された粒子の表面は、隔壁用媒体より電気泳動媒体に対してより親和性を示すものであるので、この帯電された粒子を、電気泳動媒体中に選択的に分散させることができるという効果がある。また、電気泳動媒体中に分散された粒子が、隔壁を形成する隔壁用媒体に移動したり、この隔壁を超えて他の領域の電気泳動媒体に移動することを防止できる。よって、色ムラの発生やコントラストの低下を防止するなど、画質の安定性を維持できるという効果がある。
【００４７】
請求項１０記載の画像表示媒体によれば、請求項１から９のいずれかに記載の画像表示媒体の奏する効果に加えて、一対の基板における互いに対向する側の面上に一対の電極がそれぞれ設けられており、これらの一対の電極における各電極の表面には、耐液性の保護膜が設けられているので、液体である電気泳動媒体と電極とが直接接触することが防止され、それによって、電極の劣化を防止することができるという効果がある。
【００４８】
請求項１１記載の画像表示媒体によれば、請求項１０記載の画像表示媒体の奏する効果に加えて、耐液性の保護膜として、含フッ素化合物を含有する保護膜を用いるので、液体である電気泳動媒体と電極とが直接接触することがより効果的に防止され、それによって、電極の劣化をより効果的に防止することができるという効果がある。
【００４９】
請求項１２記載の画像表示媒体によれば、請求項１から１１のいずれかに記載の画像表示媒体の奏する効果に加えて、一対の基板はそれぞれ可撓性を有するものであるので、画像表示媒体全体を可撓性に形成することができるという効果がある。
【００５０】
請求項１３記載の画像表示媒体によれば、請求項１から１２のいずれかに記載の画像表示媒体の奏する効果に加えて、スペーサ粒子によって一対の基板間の距離が所定距離以上に保持されるので、基板表面に力が付加された場合であっても、基板表面が過度に歪むことを確実に防止できるので、基板の破損を確実に防止できるという効果がある。特に、基板が可撓性を有する基板である場合には、基板の弛みによって基板と基板とが接触されることを防止できるので、画質劣化や画像表示媒体の破損をより確実に防止することができるという効果がある。
【００５１】
請求項１４記載の画像表示装置によれば、請求項１３記載の画像表示媒体の奏する効果に加えて、スペーサ粒子の表面は、電気泳動媒体より隔壁用媒体に対してより親和性を示すので、スペーサ粒子を隔壁用媒体中に選択的に配置させることができるという効果がある。また、隔壁用媒体中に分散されたスペーサ粒子が、電気泳動媒体に移動することを防止できるので、画質の安定性を維持できるという効果がある。
【００５２】
請求項１５記載の画像表示媒体によれば、請求項１から１４のいずれかに記載の画像表示媒体の奏する効果に加えて、塊状の固定隔壁が、一対の基板における少なくとも一方の基板上に固定されて設けられているので、基板表面に力が付加された場合であっても、基板表面が過度に歪むことを確実に防止できるので、基板の破損を確実に防止できる。特に、基板が可撓性を有する基板である場合には、基板の弛みによって基板と基板とが接触されることを防止できるので、画質劣化や画像表示媒体の破損をより確実に防止することができる。また、特に、塊状の固定隔壁が一方の基板に固定されて、他方の基板とは離間されている場合には、画像表示媒体が撓曲されても、隔壁が破損し難いという効果がある。
【００５３】
請求項１６記載の画像表示媒体によれば、請求項１５記載の画像表示媒体の奏する効果に加えて、固定隔壁は、一対の基板における一方の基板上に固定され、他方の基板とは離間されているので、画像表示媒体が撓曲されても、隔壁が破損し難いという効果がある。また、固定隔壁と基板とが離間されることによって生じた空間の存在によって、電気泳動流体（帯電された粒子を含む電気泳動媒体）の配置を均一に行い得るという効果がある。
【００５４】
請求項１７記載の画像表示媒体によれば、請求項１６記載の画像表示媒体の奏する効果に加えて、固定隔壁とその固定隔壁と離間されている側の基板との間には、隔壁用媒体が配置されているので、この隔壁用媒体から形成される隔壁の存在によって、電気泳動媒体中に分散された粒子が他の領域の電気泳動媒体に移動することを抑制できるという効果がある。
【００５５】
請求項１８記載の画像表示媒体によれば、請求項１６又１７記載の画像表示媒体の奏する効果に加えて、固定隔壁における基板と離間されている側を向く表面、又は、その表面に対応する、固定隔壁と離間されている側の基板の面が、電気泳動媒体より隔壁用媒体に対してより親和性を有するので、電気泳動媒体と隔壁用媒体との相分離を利用する場合に、隔壁用媒体を、固定隔壁と基板とが離間されることによって生じた空間部分に選択的に配置できるという効果がある。固定隔壁とその固定隔壁と離間されている側の基板との間に、隔壁用媒体が配置されることにより、この隔壁用媒体から形成される隔壁の存在によって、電気泳動媒体中に分散された粒子が他の領域の電気泳動媒体に移動することを抑制できる。
【００５６】
請求項１９記載の画像表示媒体の製造方法によれば、実質的に平行に離間されて配置される一対の基板の間に、帯電された粒子を含有する電気泳動媒体が配置されており、一対の基板間に電界が発生されると、該電気泳動媒体に含まれている帯電された粒子が移動し、それによって、表示状態が切り換えられる画像表示媒体を製造するために、電気泳動媒体と、その電気泳動媒体に対して少なくとも室温で相分離し得る流動性物質である隔壁用媒体との混合物が、媒体配置工程により、一対の基板のうち少なくとも一方の基板における他方の基板に対向する側の面上に配置される。そして、その媒体配置工程により配置された混合物における電気泳動媒体と隔壁用媒体とが、媒体分離工程により互いに相分離され、それによって、該隔壁用媒体が、該電気泳動媒体を区画する位置に隔壁として配置される。
【００５７】
即ち、請求項１９記載の画像表示媒体の製造方法によれば、該電気泳動媒体を区画する隔壁は、流動性物質により構成されたものである。よって、画像表示媒体全体が可撓性を有する場合に、画像表示媒体が撓曲されても、隔壁の破損が防止されるという効果がある。
【００５８】
また、電気泳動媒体と隔壁用媒体との相分離を利用して隔壁を形成するので、複雑な工程を必要とすることなく簡便に画像表示媒体を製造することができ、コストも安価であるという効果がある。
【００５９】
さらに、電気泳動媒体と隔壁用媒体との相分離を利用して隔壁を形成するので、隔壁の形成後に電気泳動流体（帯電された粒子を含む電気泳動媒体）が配置される場合に比べ、電気泳動流体が均一に配置されるので、色ムラが抑制され、コントラストの高い画像表示媒体を得ることができるという効果がある。
【００６０】
請求項２０記載の画像表示媒体の製造方法によれば、請求項１９記載の画像表示媒体の製造方法の奏する効果に加えて、表面処理工程によって、一対の基板のうち少なくとも一方の基板における電気泳動媒体と接触する面における、該電気泳動媒体を配置させるべき位置に、隔壁用媒体より電気泳動媒体に対してより親和性を有する第１表面処理部が設けられ、一方で、一対の基板のうち少なくとも一方の基板における隔壁用媒体と接触する面に、隔壁の形状に応じて、電気泳動媒体より隔壁用媒体に対してより親和性を有する第２表面処理部が配置される。よって、電気泳動媒体及び隔壁用媒体を、それぞれ、第１表面処理部及び第２表面処理部の設けられた位置に選択的に配置させることが容易であるという効果がある。
【００６１】
請求項２１記載の画像表示媒体は、請求項１９又は２０記載の画像表示媒体の製造方法の奏する効果に加えて、帯電された粒子が、隔壁用媒体より電気泳動媒体に対してより親和性を有するので、この帯電された粒子を、電気泳動媒体中に選択的に分散させることができるという効果がある。また、電気泳動媒体中に分散された粒子が、隔壁を形成する隔壁用媒体に移動したり、この隔壁を超えて他の領域の電気泳動媒体に移動することを防止できる。よって、色ムラの発生やコントラストの低下を防止するなど、画質の安定性を維持できるという効果がある。
【００６２】
請求項２２記載の画像表示媒体は、請求項１９から２１のいずれかに記載の画像表示媒体の製造方法の奏する効果に加えて、表面処理工程による表面処理の前に、保護膜形成工程により、含フッ素化合物を含有する液体が塗布されて、一対の電極のそれぞれの表面に耐液性の保護膜が形成されるので、液体である電気泳動媒体と電極とが直接接触することがより効果的に防止され、それによって、電極の劣化をより効果的に防止することができるという効果がある。
【発明を実施するための最良の形態】
【００６３】
以下、本発明の好ましい実施例について、添付図面を参照して説明する。図１は、本発明の第１実施例における画像表示媒体１０を説明する図であり、図１（ａ）は、画像表示媒体１０に画像を表示させる表示装置１全体の斜視図であり、図１（ｂ）は、画像表示媒体１０の構造を概略的に示す分解斜視図である。
【００６４】
図１（ａ）に示すように、表示装置１は、画像表示媒体１０と本体２０とから構成される装置であり、本体２０に画像表示媒体１０を配置した上で所定の操作を行うことにより、画像表示媒体１０に画像を表示できるものである。
【００６５】
本体２０は、画像表示媒体１０の大きさより一回り大きい矩形状に形成されたベースプレート２５と、そのベースプレート２５の周縁に沿って取り付けられた枠体２６とを備えている。枠体２６は、ベースプレート２５の周囲に、その一部（図１（ａ）ではベースプレート２５の左方）が開口されて設けられている。枠体２６が一部開口されて設けられていることにより、ユーザは、表示装置１への画像表示媒体１０の挿入や、表示装置１からの画像表示媒体１０の取り出しを容易に行い得る。この枠体２６には、画像表示媒体１０に備えられているＸ電極１２ａ及びＹ電極１３ａ（いずれも図１（ｂ）参照）に印加する電気信号（電流、電圧、極性）を制御する駆動制御ユニット（非図示）が内包されている。
【００６６】
また、枠体２６の表面には、電源スイッチ２６ａと、操作ボタン２６ｂとが設けられている。電源スイッチ２６ａは、駆動制御ユニット（非図示）に含まれるＣＰＵ（非図示）によって管理されており、電源スイッチ２６ａがオンされたことがＣＰＵにより検出されると、本体２０に電源が供給される。操作ボタン２６ｂは、画像表示媒体１０に画像を表示させるために、ユーザにより操作されるボタンである。
【００６７】
画像表示媒体１０が表示装置１に挿入されて、ベースプレート２５上の所定位置に配置されると、画像表示媒体１０のＸ電極１２ａ及びＹ電極１３ａ（いずれも図１（ｂ）参照）が、枠体２６に内包された駆動制御ユニット（非図示）に接続される。そして、ユーザが、操作ボタン２６ｂを操作することにより、駆動制御ユニット（非図示）の制御により、所望の画像を画像表示媒体１０に表示することができる。
【００６８】
画像表示媒体１０は、図１（ｂ）に示すように、第１基板１２と、第２基板１３と、その第２基板１３と第１基板１２との間に挟持されるギャップスペーサ１７とを主に備えており、これらが積層されて構成されたものである。なお、詳しくは図２を参照しつつ後述するが、ギャップスペーサ１７の介在によって離間される第１基板１２と第２基板１３との間には、帯電粒子３１を含む電気泳動媒体３０（いずれも図２参照）と隔壁の役割を果たす隔壁用媒体３２（図２参照）とが充填されている。
【００６９】
第１基板１２及び第２基板１３は、いずれも、約２０μｍ程度の厚さを有し、その材質として、ガラス、合成樹脂、天然樹脂、紙などが挙げられる。好ましい第１基板１２及び第２基板１３の材質は、可撓性を示す合成樹脂であり、例えば、ポリエチレンテレフタレート（ＰＥＴ）、ポリエチレンナフタレート（ＰＥＮ）やポリフェニレンサルファイド（ＰＰＳ）などのポリエステル系樹脂、アラミド、ポリイミド、ナイロン、ポリプロピレン、硬質ポリエチレン（高密度ポリエチレン）などが挙げられる。これらの合成樹脂の中でも、透明性、強度、耐熱性の点から、ポリエチレンテレフタレート、ポリエチレンナフタレート、ポリフェニレンサルファイドが特に好ましい材質であり、最も好ましい材質は、ポリエチレンテレフタレートである。第１基板１２及び第２基板１３として、上記のような可撓性示す材質を用いることにより、画像表示媒体１０全体が可撓性を示すものとなる。
【００７０】
第１基板１２及び第２基板１３には、画像表示媒体１０において互いに対向する側の面上に、それぞれ、Ｘ電極１２ａ及びＹ電極１３ａが設けられている。Ｘ電極１２ａ及びＹ電極１３ａは、電気泳動媒体３０（図２参照）に電界を与えるための極性を担うものである。Ｘ電極１２ａ及びＹ電極１３ａは、いずれも、複数本の略平行なライン状に形成されている。また、Ｘ電極１２ａとＹ電極１３ａとは、画像表示媒体１０において、互いに略直交するように構成されている。即ち、画像表示媒体１０は、これらの電極１２ａ，１３ａのオン又はオフを切り換える単純マトリックス駆動方式によって画像が表示されるものである。
【００７１】
Ｘ電極１２ａ及びＹ電極１３ａはいずれも、導電性を有するものであれば、特にその材料には限定されず、金属、半導体、導電性樹脂、導電性塗料、導電性インクなどの材料により構成されている。Ｘ電極１２ａ及びＹ電極１３ａは、上記のような材料を用い、周知の無電界メッキ法、スパッタ法、蒸着法、インクジェット法などの方法によって、それぞれ、第１基板１２及び第２基板１３上に形成することができる。特に、第１基板１２及び第２基板１３の材質が可撓性を示す合成樹脂である場合には、ポリチオフェン系導電性高分子などの導電性高分子を含むインクを用いるインクジェット法によって、基板（第１基板１２及び第２基板１３）を損傷することなく、Ｘ電極１２ａ及びＹ電極１３ａを容易に形成できる。
【００７２】
ギャップスペーサ１７は、第１基板１２及び第２基板１３の材質として上記で列挙した合成樹脂、天然樹脂、又はガラスなどから構成されるものであり、その中央部に開口部１７ａが開口されている。ギャップスペーサ１７の厚さは約２０μｍ程度である。
【００７３】
なお、第１基板１２におけるＸ電極１２ａの形成面、及び、第２基板１３におけるＹ電極１３ａの形成面には、耐液性の保護膜１８（図２参照）や表面処理層１９（図２参照）が設けられているが、図面が複雑化されることを防ぐために、図１（ｂ）では保護膜１８や表面処理層１９の図示を省略している。
【００７４】
次に、図２を参照して、画像表示媒体１０の構造についてより具体的に説明する。図２は、画像表示媒体１０の模式的な断面図である。なお、図２の断面図は、第２基板１３上に形成されたＹ電極１３ａのうちの１本を通り、且つ、第１基板１２上に形成されたＸ電極１２ａのそれぞれに対して略直交する切断線で切断した場合の断面を図示したものである。
【００７５】
図２に示すように、画像表示媒体１０における第１基板１２と第２基板１３との間には、正又は負に帯電された帯電粒子３１を含む電気泳動媒体３０と、その帯電粒子３１を含む電気泳動媒体３０を区画する隔壁としての役割を果たす隔壁用媒体３２とがが充填されている。
【００７６】
電気泳動媒体３０と隔壁用媒体３２とは、それぞれ、１の画素に対応する領域と、隣接する画素を分離し、１の画素ごとに区画する仕切り線に対応する位置とに配置されている。なお、画像表示媒体１０における「画素」は、格子状であるＸ電極１２ａとＹ電極１３ａとが交差する部分を中心とする領域であり、１つの交差するＸ電極１２ａとＹ電極１３ａとの間に他の領域とは独立して発生された電界によって、帯電粒子３１が他の領域とは独立して移動する領域に相当する。
【００７７】
電気泳動媒体３０と隔壁用媒体３２とは、少なくとも、画像表示媒体１０の操作される室温において互いに相分離されて、その相分離状態を保つことのできる液体（溶媒又は溶液）などの流動性物質である。なお、電気泳動媒体３０と隔壁用媒体３２とが相分離された場合において、両方の液体の境界が完全に分離されていることが最も好ましいが、見た目には両方の液体の境界が完全に分離されているように見えるが、境界領域において両方の液体が混合した「ほぼ相分離されている」状態であってもよい。なお、本明細書及び特許請求の範囲における「相分離」とは、両方の液体の境界が完全に分離されていることに限定されず、ほぼ相分離されている状態も含む。
【００７８】
好ましい電気泳動媒体３０及び隔壁用媒体３２としては、それらの組み合わせが、互い不溶である溶媒同士の組み合わせであるか、互いに不溶である溶媒を含む溶液同士の組み合わせであるか、互い不溶である溶媒と互いに不溶である溶媒を含む溶液との組み合わせとなるものである。特に、電気泳動媒体３０に用いる液体は電気抵抗の大きい（絶縁性の高い）ものが好ましいので、電気泳動媒体３０が、水に不溶である溶媒又は水に不溶である溶媒を含む溶液であり、隔壁用媒体３２が水又は水溶液であることが好ましい。
【００７９】
電気泳動媒体３０として水に不溶である溶媒を用いる場合には、電気抵抗が高い（絶縁性が高い）ものが好ましく、例えば、芳香族炭化水素溶媒（例えば、ベンゼン、トルエン、キシレンなど）、脂肪族炭化水素溶媒（例えば、ヘキサン、シクロヘキサンなどの直鎖又は環状パラフィン系炭化水素溶媒、イソパラフィン系炭化水素溶媒、ケロシンなど）、ハロゲン化炭化水素溶媒（例えば、クロロホルム、トリクロロエチレン、ジクロロメタン、トリクロロトリフルオロエチレン、臭化エチルなど）、シリコーンオイルのようなオイル状のポリシロキサン、又は、高純度石油などが挙げられる。特に好適な第２媒体３０ｂは、脂肪族炭化水素溶媒である。好適な第２溶媒３０ｂとしては、例えば、アイソパーＧ，Ｈ，Ｍ，Ｌ（いずれも、エクソンモービル製）、Ｓｈｅｌｌｓｏｌ（昭和シェルジャパン製）、ＩＰソルベント１０１６，１６２０，２０２８，２８３５（いずれも、出光石油化学製）などが挙げられる。なお、本明細書及び特許請求の範囲における「水に不溶である溶媒」としては、先に列挙した有機溶媒のそれぞれ単独、及び、２種以上の有機溶媒の混合物のいずれも含まれるものとする。
【００８０】
なお、電気泳動媒体３０として水や水溶液を用いる場合には、イオン性物質を含まず電気抵抗の大きい（絶縁性の高い）水を用いることが好ましく、蒸留水やイオン交換水の使用が特に好ましい。
【００８１】
上記のように、隔壁用媒体３２は、少なくとも室温で電気泳動媒体３０と相分離し得る流動性物質である。隔壁用媒体３２としては、電気泳動媒体３０として水に不溶である溶媒を用いる場合には、利用し易いという点から、水又は水溶液であることが好ましい。また、電気泳動媒体として水又は水溶液が用いられる場合には、隔壁用媒体３２として、水に不溶である溶媒又は水に不溶である溶媒を含む溶液が好適に用いられる。この場合、水に不溶である溶媒としては、電気泳動媒体３０を説明する際に、水に不溶である溶媒として列挙したものが好ましい。
【００８２】
隔壁用媒体３２は、画像表示媒体１０において、画素を区画する隔壁としての役割を果たすものである。即ち、本実施例の画像表示媒体１０は、隔壁が流動性物質により形成されている。よって、画像表示媒体１０が撓曲されても、隔壁の破損が生じ難い。
【００８３】
なお、隔壁用媒体３２の色は、画像表示媒体１０により表示される画像に悪影響を与えないように、無色又は白色であることが好ましい。
【００８４】
電気泳動媒体３０に含まれる（分散される）帯電粒子３１は、正に帯電されている白色の白色帯電粒子３１ａと、負に帯電されている黒色の黒色帯電粒子３１ｂとから構成されている。これらの白色帯電粒子３１ａ及び黒色帯電粒子３１ｂは、それぞれ、画像表示媒体１０における各画素毎に、Ｘ電極１２ａとＹ電極１３ａとの間に発生される電界に応じて、第１基板１２側又は第２基板１３側に泳動される。
【００８５】
より具体的には、１の画素において、Ｙ電極１３ａがＸ電極１２ａに対して正となるように電界が形成された場合には、負に帯電されている黒色帯電粒子３１ｂは、第２基板１３側（Ｙ電極１３ａ側）に泳動し、一方で、正に帯電されている白色帯電粒子３１ａは、第１基板１２側（Ｘ電極１２ａ側）に泳動する。この場合、第２基板１３が、ユーザにより視認される側の面（以下、「視認面」と称する。）であれば、ユーザは、この画素が黒色で表示されていることを視認することになる。なお、以下において、ユーザが視認面を視認した場合に、黒色であることが視認される画素の状態を「表示状態」と称する。
【００８６】
一方で、１の画素において、Ｙ電極１３ａがＸ電極１２ａに対して負となるように電界が形成された場合には、正に帯電されている白色帯電粒子３１ａが、第２基板１３側（Ｙ電極１３ａ側）に泳動し、一方で、負に帯電されている黒色帯電粒子３１ｂは、第１基板１２側（Ｘ電極１２ａ側）に泳動する。この場合、第２基板１３が視認面であれば、ユーザは、この画素が白色で表示されていることを視認することになる。なお、以下において、ユーザが視認面を視認した場合に、白色であることが視認される画素の状態を「非表示状態」と称する。
【００８７】
帯電粒子３１（白色帯電粒子３１ａ，黒色帯電粒子３１ｂ）は、いずれも、隔壁用媒体３２より電気泳動媒体３０に対してより親和性を示す表面を有している。よって、帯電粒子３１は、隔壁用媒体３２ではなく電気泳動媒体３０に選択的に分散される。また、帯電粒子３１がそのような表面を有することによって、電気泳動媒体３０に分散された帯電粒子３１が、隔壁用媒体３２中に移動したり、この隔壁用媒体３２を超えて他の領域の電気泳動媒体３０に移動することが防止される。その結果として、画像表示媒体１０において、色ムラの発生やコントラストの低下が防止されるなど、画質の安定性が維持される。
【００８８】
帯電粒子３１である白色帯電粒子３１ａや黒色帯電粒子３１ｂとしては、白色の二酸化チタンや黒色のカーボンブラックなどの顔料をポリマーにより被覆したものや、白色や黒色の染料で着色されたポリマー粒子などが挙げられる。
【００８９】
ここで、電気泳動媒体３０が、水に不溶である溶媒又は水に不溶である溶媒を含む溶液であり、隔壁用媒体３２が水又は水溶液である場合には、疎水性（親油性）を示す表面を有するポリマーを用いて帯電粒子３１を作製すればよい。疎水性（親油性）を示す表面を有するポリマーとしては、例えば、疎水性表面を有するポリマーなどが挙げられる。疎水性表面を有するポリマーとしては、スチレン樹脂、アクリル樹脂、スチレン−アクリル共重合体、ポリエステル樹脂などが挙げられる。具体的には、ナトコスペーサ（ナトコ（株）製）、エポカラー（（株）日本触媒化学製）、ケミスノー（総研化学（株）製）、トスパール（ＧＥ東芝シリコン（株）製）、テクポリマー（積水化成品工業（株）製）などが挙げられる。
【００９０】
また、電気泳動媒体３０が、水又は水溶液であり、隔壁用媒体３２が、水に不溶である溶媒又は水に不溶である溶媒を含む溶液である場合には、親水性を示す表面を有する帯電粒子３１が用いられる。この場合、親水性を示す表面を有する帯電粒子３１は、隔壁用媒体３２より電気泳動媒体３０に対してより親和性を示す疎水性表面を有するポリマーとして先に列挙したポリマーから形成され、着色又は顔料を内包する帯電粒子の表面に、二酸化チタンやシリカなどの親水性物質の微粒子を付着させたり、又は、これらの親水性物質による被膜を形成することによって得ることができる。あるいは、帯電粒子３１を、親水性を示す表面を有するポリマーを用いて作製してもよい。親水性を示す表面を有するポリマーとしては、例えば、アクリルアミド及びヒドロキシメチルアクリレートをモノマーとして重合される共重合体や、ポリ（オキシエチレン）マクロモノマーを反応性分散安定剤として用いるメチルメタクリレートの分散重合により得られた粒子、親水性アクリル酸系モノマー又は親水性（メタ）アクリル酸系モノマーをポリマー粒子表面にグラフト重合することによって得られた粒子などが挙げられる。
【００９１】
図２に示すように、画像表示媒体１０におけるＸ電極１２ａ及びＹ電極１３ａの表面には、保護膜１８が設けられている。この保護膜１８によって、液体である電気泳動媒体３０と電極（Ｘ電極１２ａ及びＹ電極１３ａ）との直接接触が防止されるので、画像表示媒体１０における電極（Ｘ電極１２ａ及びＹ電極１３ａ）の劣化を防止することができる。この保護膜１８としては、撥水性、撥油性、耐食性、耐薬品性などに優れているという点から、含フッ素化合物を含有する膜であることが好ましい。
【００９２】
ここで、含フッ素化合物としては、所定の温度以上で液体状になる含フッ素化合物であることが好ましく、例えば、低分子量ポリテトラフルオロエチレン（低分子量ＰＴＦＥ）、低分子量ポリクロロトリフルオロエチレン（低分子量ＰＣＴＦＥ）、低分子量テトラフルオロエチレン・パーフルオロアルキルビニルエーテル共重合体（低分子量ＰＦＡ）、低分子量テトラフルオロエチレン・ヘキサフルオロプロピレン共重合体（低分子量ＦＥＰ）などが挙げられる。
【００９３】
保護膜１８は、上記のような含フッ素化合物を所定の温度以上に加温することによって液体状にし、その液体を、基板（第１基板１２又は第２基板１３）上における電極（Ｘ電極１２ａ又はＹ電極１３ａ）の設けられた側の面に一様に塗布し、その後、乾燥させる工程（この工程を「保護膜形成工程」と称する）によって形成される。
【００９４】
保護膜形成工程において、含フッ素化合物を基板（第１基板１２又は第２基板１３）上に塗布する方法としては、ディッピング法、ゾルゲル法、スプレー法などの方法が利用できる。なお、保護膜１８を形成するために用いられる含フッ素化合物は、溶媒中に溶解又は分散することによって塗布可能とされる含フッ素化合物であってもよく、その場合は、含フッ素化合物を溶解又は分散された液体を用いて、上記と同様の保護膜形成工程を実行すればよい。
【００９５】
図２に示すように、視認面となる基板である第１基板１２には、電気泳動媒体３０及び隔壁用媒体３２と接触する層として、表面処理層１９が設けられている。この表面処理層１９は、第１表面処理層１９ｂと第２表面処理層１９ａとから構成されている。
【００９６】
図２に示すように、第１表面処理層１９ｂ及び第２表面処理層１９ａの露出部分は、それぞれ、電気泳動媒体３０及び隔壁用媒体３２の配置される位置に相当する位置に配置されている。詳細については、図６を参照しつつ後述するが、第１表面処理層１９ｂは、１の画素に対応する領域に設けられ、一方で、第２表面処理層１９ａは、画素を区画する隔壁の形成を意図する位置に設けられている。
【００９７】
第１表面処理層１９ｂは、少なくともその表面が、隔壁用媒体３２より電気泳動媒体３０に対してより親和性を示す層であり、一方で、第２表面処理層１９ａは、少なくともその表面が、電気泳動媒体３０より隔壁用媒体３２に対してより親和性を示す層である。例えば、電気泳動媒体３０が水に不溶な溶媒又はその溶媒を含む溶液であり、隔壁用媒体３２がが水又は水溶液である場合には、第１表面処理層１９ｂは、所謂「疎水性（又は新油性）」を示す表面を有する層であり、一方で、第２表面処理層１９ａは、所謂「親水性」を示す表面を有する層である。
【００９８】
よって、電気泳動媒体３０と隔壁用媒体３２とが相分離される場合には、第１表面処理層１９ｂ上に、隔壁用媒体３２に比べてより高い親和性を示す電気泳動媒体３０が配置されて、一方で、第２表面処理層１９ａ上に、電気泳動媒体３０に比べてより高い親和性を示す隔壁用媒体３２が配置されることがエネルギー的に最も安定な状態である。従って、第１表面処理層１９ｂ及び第２表面処理層１９ａを設けることによって、互いに相分離する電気泳動媒体３０及び隔壁用媒体３２を、それぞれ、第１表面処理層１９ｂ及び第２表面処理層１９ａ上に選択的に配置させることが容易となる。
【００９９】
表面処理部１９（第１表面処理層１９ｂ，第２表面処理層１９ａ）は、視認面である第１基板１２側に設けることが好ましい。第１表面処理層１９ｂ及び第２表面処理層１９ａを視認面である第１基板１２側に設けることによって、電気泳動媒体３０によって形成される画素領域と隔壁用媒体３２によって形成される隔壁とが明瞭に区分できる。なお、表面処理部１９を、視認面側である第１基板１２側に設ける場合には、画像表示の妨げにならないように透明であることが好ましい。
【０１００】
また、基板１２，１３間における所定の位置で相分離されていた電気泳動媒体３０及び隔壁用媒体３２が外的要因（例えば、基板１２，１３が押圧されること）によって再度混合された場合であっても、これらの媒体３０，３２は、それぞれ、第１表面処理層１９ｂ又は第２表面処理層１９ａ上に再度配置される。
【０１０１】
次に、図３及び図４を参照して、表面処理層１９を形成する方法（これを「表面処理工程」と称する）について例示する。図３は、表面処理工程の第１の例を説明する図であり、図４は、表面処理工程の第２の例を説明する図である。
【０１０２】
図３を参照して説明する表面処理工程の第１の例は、赤外線レーザーの照射によって、照射部が選択的に疎水性に変化する親水性ポリマー（以下、「感熱相変換型親水性ポリマー」と称する）を使用する方法である。なお、この方法は印刷業界でしばしば利用される公知の方法である（例えば、Ｃｒｅｏ社のＳＰプレートレスＤＯＰ技術など）。
【０１０３】
図３（ａ）は、保護膜形成工程後、第２表面処理層１９ａが形成される前の状態を示す図であり、図３（ｂ）は、第２表面処理層１９ａが保護層１８の上に設けられた第１基板１２を示す図である。第２表面処理層１９ａは、感熱相変換型親水性ポリマーをスプレー法などにより保護層１８の上に塗布することによって形成される。
【０１０４】
図３（ｃ）〜（ｅ）は、赤外線レーザーの照射による第１表面処理層１９ｂの形成を説明する図である。第２表面処理層１９ａが保護層１８の上に設けられると、図３（ｃ）に示すように、画素に対応する形状（例えば、略矩形状や略六角形などの多角形状）の開口部４０ａが画素の配置に応じて複数設けられたメタルマスク４０を、第２表面処理層１９ａの上方に配置する。その際、開口部４０ａが第１表面処理層１９ｂの形成を所望する位置、即ち、開口部４０ａが画素に対応する位置となるように、メタルマスク４０を配置する。
【０１０５】
次に、図３（ｄ）に示すように、赤外線レーザーを、矢印の向きにメタルマスク４０を介して第２表面処理層１９ａに照射する。第２表面処理層１９ａが赤外線レーザーにより照射されると、開口部４０ａを介して露光された部分が、図３（ｅ）に示すように、疎水性である第１表面処理層１９ｂに相変化する。上記のように、メタルマスク４０の開口部４０ａは、画素に対応する位置に配置されている。よって、赤外線レーザーが照射されると、Ｘ電極１２ａ上の画素に対応する領域に第１表面処理層１９ｂが形成され、第２表面処理層１９ａの露出部分が画素を区画する隔壁を設けるべき位置に残される。
【０１０６】
図４を参照して説明する表面処理工程の第２の例は、赤外線レーザーの照射によって、層状体の親水性表層をアブレートして（焼き飛ばして）、疎水性層を露出させる方法である。なお、この方法もまた、印刷業界でしばしば利用される公知の方法である（例えば、Ｐｒｅｓｓｔｅｋ社のＲＥＡＬｗｅｔなど）。
【０１０７】
図４（ａ）は、保護膜形成工程後、アブレーション用の層状体が配置される前の状態を示す図である。また、図４（ｂ）は、アブレーション用の層状体が保護膜１８の上に配置された第１基板１２を示す図である。なお、アブレーション用の層状体は、親水性ポリマーである第２表面処理層１９ａと、疎水性フィルムである第１表面処理層１９ｂと、その第１表面処理層１９ｂと第２表面処理層１９ａとの間に配置される金属剥膜層１６との三層からなる層状体である。図４（ｂ）に示すように、アブレーション用の層状体は、第１表面処理層１９ｂが保護膜１８の上となるように配置される。
【０１０８】
図４（ｃ）〜（ｅ）は、赤外線レーザーの照射による表面処理層１９の形成を説明する図である。アブレーション用の層状体が保護膜１８の上に配置されると、図４（ｃ）に示すように、画素に対応する形状（例えば、略矩形状や略六角形などの多角形状）の開口部４０ａが画素の配置に応じて複数設けられたメタルマスク４０を、第１表面処理層１９ａの上方に配置する。その際、開口部４０ａが第１表面処理層１９ａの形成を所望する位置、即ち、開口部４０ａが画素に対応する位置となるように、メタルマスク４０を配置する。
【０１０９】
次に、図４（ｄ）に示すように、赤外線レーザーを、矢印の向きにメタルマスク４０を介してアブレーション用の層状体に照射する。アブレーション用の層状体が赤外線レーザーにより照射されると、開口部４０ａを介して露光された部分の第２表面処理層１９ａと金属剥膜層１６とがアブレートされ（焼き飛ばされ）、図４（ｅ）に示すように、疎水性である第１表面処理層１９ｂが露出する。上記のように、メタルマスク４０の開口部４０ａは、画素に対応する位置に配置されている。よって、赤外線レーザーが照射されると、Ｘ電極１２ａ上の画素に対応する領域に第１表面処理層１９ｂが形成され、第２表面処理層１９ａが画素を区画する隔壁を設けるべき位置に残される。
【０１１０】
上記のような図３又は図４に示した方法によれば、メタルマスク４０の開口部４０ａの形状及び位置を変えることによって、第１表面処理層１９ｂと第２表面処理層１９ａのパターン（形状及び配置）を必要に応じて容易に変更することができる。即ち、隔壁用媒体３２による電気泳動媒体３０の区画は、電気泳動媒体３０の区画される形状や、区画の大きさなどを自在に変化させることが可能である。
【０１１１】
なお、表面処理層１９を設ける方法としては、上記のような方法に限られるものではない。例えば、隔壁用媒体３２より電気泳動媒体３０に対してより親和性を有するポリマーを、ローラーなどを用いて画素に対応する位置に塗布し、一方で、電気泳動媒体３０よりも隔壁媒体３２に対してより高い親和性を有するポリマーを、ローラーなどを用いて、画素を区画する隔壁を設けるべき位置に塗布する方法、あるいは、隔壁用媒体３２より電気泳動媒体３０に対してより親和性を有するポリマーを、スプレーなどを用いて第１基板１２全体に塗布し、その後に、電気泳動媒体３０よりも隔壁媒体３２に対してより高い親和性を有するポリマーを、ローラーなどを用いて、画素を区画する隔壁を設けるべき位置に塗布する方法など、種々の方法により表面処理層１９を設けることもできる。
【０１１２】
次に、図５及び図６を参照して、画像表示媒体１０に電気泳動媒体３０及び隔壁用媒体３２を配置する方法について説明する。図５は、帯電粒子３１を含む電気泳動媒体３０と隔壁用媒体３２との混合物の調製を模式的に示す図であり、図６は、隔壁用媒体３２による隔壁が形成される工程を説明する図である。
【０１１３】
本実施例で用いられる、帯電粒子３１を含む電気泳動媒体３０と隔壁用媒体３２との混合物を調製するためには、まず、隔壁用媒体３２より電気泳動媒体３０に対してより親和性を示す表面を有する帯電粒子３１（白色帯電粒子３１ａ，黒色帯電粒子３１ｂ）が分散された電気泳動媒体３０（以下、この分散液を「電気泳動流体Ｄ」と称する）を調製する。次いで、電気泳動流体Ｄと隔壁用媒体３２とを混合し、十分に攪拌することによって、図５の下方に示すように、電気泳動媒体３０に隔壁用媒体３２が分散されたエマルジョン（以下、このエマルジョンを「エマルジョンＥ」と称する）が生じる。
【０１１４】
このエマルジョンＥを、図６を参照しつつ後述するように、表面処理層１９を有する第１基板１２上に配置する。なお、図５には、エマルジョンＥとして、電気泳動媒体３０に隔壁用媒体３２が分散されたエマルジョンを示したが、隔壁用媒体３２に電気泳動媒体３０が分散されたエマルジョンであってもよい。
【０１１５】
上記のように調製されたエマルジョンＥは、図６の中段に示すように、表面処理工程後ギャップスペーサ１７を積層した第１基板１２上にドクターブレード法などによって塗布される（これを「媒体配置工程」と称する）。なお、図６では、図面の簡略化のためにエマルジョンＥ中に分散される帯電粒子３１や、第１基板１２上に積層されたギャップスペーサ１７の図示を省略している。
【０１１６】
媒体配置工程後、図６の下段に示すように、第１基板１２上に塗布されたエマルジョンＥを自発的に分離させて、隔壁用媒体３２を隔壁として所定の位置に配置させる（これを「隔壁配置工程」と称する）。この隔壁配置工程による隔壁（隔壁用媒体３２）の配置は、表面処理工程により第１基板１２上に形成された表面処理層１９（図６の上段）と隔壁用媒体３２又は電気泳動媒体３０との親和性に応じて選択的に配置される。具体的には、エマルジョンＥが相分離することにより、隔壁用媒体３２より電気泳動媒体３０に対してより親和性を示す第１表面処理部１９ｂ上には、電気泳動媒体３０が選択的に配置され、一方で、電気泳動媒体３０より隔壁用媒体３２に対してより親和性を示す第２表面処理部１９ａ上には、隔壁用媒体３２が選択的に配置される。
【０１１７】
なお、エマルジョンＥが電気泳動媒体３０と隔壁用媒体３２とに相分離されると、隔壁用媒体３２に比べて電気泳動媒体３０に対してより高い親和性を示す表面を有する帯電粒子３１は、電気泳動媒体３０中に選択的に分散される。
【０１１８】
媒体配置工程後、第２基板１３を気泡が入らないように重ねて、その周囲を封止し、画像表示媒体１０とする。
【０１１９】
なお、図６では、媒体配置工程として、一対の基板のうちの一方の基板（第１基板１２）上にエマルジョンＥを塗布する方法を例示したが、第１基板１２とギャップスペーサ１７と第２基板１３とを予め組み立てたセルに、ディスペンサーなどを用いて注入する方法であってもよい。セルに注入されたエマルジョンＥは、隔壁配置工程により、第１基板１２上に形成されている表面処理層１９のパターンに応じて、隔壁（隔壁用媒体３２）が第２表面処理層１９ａ上に選択的に配置される。
【０１２０】
よって、本実施例の方法によれば、電気泳動媒体３０と隔壁用媒体３２との自発的な相分離、並びに、第１表面処理層１９ｂ又は第２表面処理層１９ａとの親和性の差を利用した選択的な電気泳動媒体３０及び隔壁用媒体３２の配置を利用するので、固体状の隔壁を形成する際の工程の複雑さや、固体状の隔壁が形成された後の電気泳動媒体の注入の困難さなどが解消され、画像表示媒体１０を容易に製造することができる。
【０１２１】
以上説明した通り、第１実施例の画像表示媒体１０では、電気泳動媒体３０と隔壁用媒体３２とが少なくとも室温で相分離し得るので、これらが相分離した状態において、隔壁用媒体３２の占める領域により電気泳動媒体３０が区画される。即ち、流動性物質である隔壁用媒体３２が、隔壁としての役割を果たす。よって、可撓性の画像表示媒体１０が撓曲された場合であっても、隔壁の破損が抑制される。また、電気泳動媒体３０と隔壁用媒体３２との相分離を利用して隔壁を形成するので、簡便な方法によって画像表示媒体１０を製造することができる。
【０１２２】
この場合に、第１基板１２における電気泳動媒体３０と接触する面における、電気泳動媒体３０を配置させるべき位置に、隔壁用媒体３２より電気泳動媒体３０に対してより親和性を有する第１表面処理層１９ｂが設けられ、一方で、第１基板１２における隔壁用媒体３２と接触する面に、隔壁の形状に応じて、電気泳動媒体３０より隔壁用媒体３２に対してより親和性を有する第２表面処理層１９ａが配置されていることにより、電気泳動媒体３０及び隔壁用媒体３２を、それぞれ、第１表面処理層１９ｂ及び第２表面処理層１９ａの設けられた位置に選択的に配置させることができる。
【０１２３】
さらに、隔壁用媒体３２より電気泳動媒体３０に対して親和性を示す表面を有する帯電粒子３１を用いることにより、隔壁用媒体３２により区画された電気泳動媒体３０に分散された帯電粒子３１が、隔壁用媒体３２に移動したり、隔壁用媒体３２を超えて他の電気泳動媒体３２へ移動することが防止される。よって、画像表示媒体１０において色ムラの発生やコントラストの低下などが防止され、画質の安定性が維持される。
【０１２４】
次に、図７を参照して、第２実施例における画像表示媒体１０について説明する。なお、この第２実施例において、上記した第１実施例と同一の部分には同一の符号を付して、その説明を省略する。
【０１２５】
第１実施例の画像表示１０は、流動性物質である隔壁用媒体３２のみによって隔壁が形成されるものであったが、第２実施例の画像表示媒体１０は、図７に示すように、スペーサ粒子３４を含む隔壁用媒体３２により隔壁が形成されるものである。
【０１２６】
第２実施例の画像表示媒体１０は、スペーサ粒子３４の存在により、一対の基板（第１基板１２，第２基板１３）間の距離が所定距離以上に保持される。よって、第１基板１２又は第２基板１３の表面に力が付加された場合であっても、その表面が過度に歪むことを確実に防止できるので、第１基板１２又は第２基板１３が破損することを確実に防止できる。特に、第１基板１２及び第２基板１３が可撓性を有するものである場合には、基板の弛みによって第１基板１２と第２基板１３とが接触されることを確実に防止できるので、画質劣化や画像表示媒体の破損を確実に防止することができる。
【０１２７】
スペーサ粒子３４は、ガラスなどの無機材料もしくはポリマー材料からなる所定の径の粒子である。スペーサ粒子３４の表面は、電気泳動媒体３０より隔壁媒体３２に対してより親和性を示すもの、又は、そのような親和性を示すように処理されていることが好ましい。例えば、ポリマー粒子の表面に帯電粒子３１の説明において列挙された親水性物質を付着させたり、その親水性物質によりポリマー粒子を被覆することなどによって得られたスペーサ粒子３４が好ましい。その表面が電気泳動媒体３０より隔壁媒体３２に対してより親和性を示すスペーサ粒子３４を用いることにより、スペーサ粒子３４を隔壁媒体３２に選択的に配置させることが容易となる。
【０１２８】
次に、図８を参照して、第３実施例における画像表示媒体１０について説明する。なお、この第３実施例において、上記した第１実施例と同一の部分には同一の符号を付して、その説明を省略する。
【０１２９】
第３実施例の画像表示媒体１０は、図８に示すように、一端が第１基板１２に固定され、第２基板１３とは離間されている固定隔壁１４が形成されたものである。固定隔壁１４は、第１基板１２と第２基板１３との間の距離より薄く、１の画素に対応する形状（略矩形や略六角形などの多角形など）の貫通孔の設けられた板状のガラス又は樹脂などを、第１基板１２上に固定するか、あるいは、感光性樹脂とフォトマスクを用いる公知の方法によって第１基板１２上に形成するかなどの方法によって設けられる。なお、固定隔壁１４は、電気泳動媒体３０を明瞭に区画できるので、視認面となる第１基板１２側に固定されるのが好ましい。
【０１３０】
固定隔壁１４の存在によって、一対の基板（第１基板１２，第２基板１３）間の距離を所定距離以上に保持できる上に、固定隔壁１４が第２基板１３とは離間されているので、可撓性を有する画像表示媒体１０が撓曲されても、隔壁の破損が生じ難い。
【０１３１】
また、図８に示すように、固定隔壁１４と第２基板１３との間の空間には、隔壁用媒体３２が満たされている。よって、隔壁用媒体３２の存在によって、電気泳動媒体３０中に分散された帯電粒子３１が他の領域の電気泳動媒体３０に移動することを防止できる。よって、両端が基板に固定された従来の固体状の隔壁と同様の役割を果たすにもかかわらず、上記のように固定隔壁１４と第２基板１３とが離間されているので、画像表示媒体１０が撓曲されても、隔壁の破損が生じ難い。
【０１３２】
図８に示すように、第３実施例の画像表示媒体１０において、固定隔壁１４と離間されている第２基板１３には、Ｘ電極１２ａに対応する位置に第１表面処理部１９ｂが設けられ、固定隔壁１４における第２基板１３と対向する面に対応する位置に第２表面処理部１９ａが設けられている。第１表面処理部１９ｂ及び第２表面処理部１９ａの存在によって、固定隔壁１４と第２基板１３との間の空間に、隔壁用媒体３２を選択的に配置させることができる。
【０１３３】
図８に示すように、第２基板１３側に表面処理部１９を設ける場合には、媒体配置工程として、予め第１基板１２とギャップスペーサ１７と第２基板１３とを組み立てたセルに、ディスペンサーなどを用いてエマルジョンＥを注入する方法を用いることが好ましい。このように、予め組み立てられたセルにエマルジョンＥを注入する方法を採用したとしても、固定隔壁１４と第２基板１３との間が離間されているので、エマルジョンＥの注入が容易であり、電気泳動流体Ｄを各画素に均一に配置し得る。
【０１３４】
なお、第２基板１３側に表面処理部１９を設けることに換えて、図示はしないが、第１基板１２の保護層１８におけるＸ電極１２ａに対応する位置に、第１表面処理部１９ｂを設け、一方で、固定隔壁１４における第２基板１３と対向する側の面に、第２表面処理部１９ａを設けるようにしてもよい。この場合、第１表面処理部１９ｂは、上記したような熱相変化型親水性ポリマーを用いる方法や、隔壁用媒体３２より電気泳動媒体３０に対してより親和性を有するポリマーを、ローラーなどを用いて塗布する方法などによって形成し、一方で、第２表面処理部１９ａは、電気泳動媒体３０より隔壁用媒体３２に対してより親和性を有するポリマーの溶液（例えば、隔壁用媒体３２が水又は水溶液である場合には、ポリビニルアルコール溶液）を塗布することなどによって形成できる。
【０１３５】
以上、実施例に基づき本発明を説明したが、本発明は上述した実施例に何ら限定されるものではなく、本発明の趣旨を逸脱しない範囲内で種々の改良変更が可能であることは容易に推察できるものである。
【０１３６】
例えば、上記実施例では、画像表示媒体１０に設けられた電極が単純マトリックス駆動方式のものであったが、各画素ごとに半導体のスイッチを設けて直接電圧をかける方式であるアクティブマトリックス駆動方式に適用させてもよい。
【０１３７】
また、上記実施例では、表面処理部１９は、片方の基板（第１基板１２）にのみ設けるように構成したが、両方の基板（第１基板１２及び第２基板１３）に設けるようにしてもよい。また、第１基板１２には第１表面処理部１９ａを設け、第２基板１３には第２表面処理部１９ｂを設けるなど、第１表面処理部１９ａと第２表面処理部１９ｂとが別々の基板上に設けられるように構成してもよい。
【０１３８】
また、本実施例では、表面処理部１９は、視認面である第１基板１２に設けるように構成したが、第２基板１３に設けるように構成してもよい。
【０１３９】
また、上記実施例では、第１基板１２と第２基板１３とにおける対向する側の面にＸ電極１２ａ及びＹ電極１３ａが設けられるように構成したが、画像表示媒体１０にＸ電極１２ａ及びＹ電極１３ａを設けないように構成してもよい。この場合、Ｘ電極１２ａ及びＹ電極１３ａに相当する一対の電極を本体２０側に設け、表示装置１において、本体２０側に設けられた一対の電極で、Ｘ電極１２ａ及びＹ電極１３ａの設けられていない画像表示媒体１０を挟み込むことによって画像を表示させるように構成すればよい。
【０１４０】
また、上記実施例では、画像表示媒体１０は、表示装置１の本体２０とが分離可能であるものとして説明したが、画像表示媒体１０が、本体２０と一体的に構成されて表示装置１となっているものであってもよい。
【０１４１】
また、上記実施例では、第１媒体３０ａが水又は水溶液であり、第２媒体３０ｂが水に不溶な溶媒又はその溶媒を含む溶液であるものとして主に説明したが、少なくとも室温で相分離するものであれば、第１媒体３０ａ及び第２媒体３０ｂがいずれも水に不溶な溶媒又はその溶媒を含む溶液であってもよい。
【０１４２】
また、上記実施例では、隔壁用媒体３２により１の画素を囲む隔壁が形成されるように構成したが、隔壁用媒体３２により複数の画素を囲む隔壁が形成されるものであってもよい。
【０１４３】
また、上記第３実施例では、固定隔壁１４が、１の画素を囲むように設けられているものとしたが、画像表示媒体１０における表示領域内における画素を避けた位置に、部分的に島状に設けられていてもよい。この場合、固定隔壁１４と固定隔壁１４の設けられていない部分に満たされる隔壁用媒体３２との両方によって隔壁が形成されて、それによって画素が区画される。
【図面の簡単な説明】
【０１４４】
【図１】本発明の第１実施例における画像表示媒体を説明する図であり、（ａ）は、画像表示媒体に画像を表示させる表示装置全体の斜視図であり、（ｂ）は、画像表示媒体の構造を概略的に示す分解斜視図である。
【図２】画像表示媒体の模式的な断面図である。
【図３】（ａ）〜（ｅ）はいずれも、表面処理工程の第１の例を説明する図である。
【図４】（ａ）〜（ｅ）はいずれも、表面処理工程の第２の例を説明する図である。
【図５】帯電粒子を含む電気泳動媒体と隔壁用媒体との混合物の調製を模式的に示す図である。
【図６】隔壁用媒体による隔壁が形成される工程を説明する図である。
【図７】第２実施例における画像表示媒体の模式的な断面図である。
【図８】第３実施例における画像表示媒体の模式的な断面図である。
【図９】可撓性を有する画像表示媒体に、固体状の隔壁が設けられている場合の問題点について説明するための図であり、（ａ）は、可撓性を有する画像表示媒体が撓曲されていない状態を示す図であり、（ｂ）は、可撓性を有する画像表示媒体が撓曲された状態を示す図である。
【符号の説明】
【０１４５】
１０                画像表示媒体
１２                第１基板（基板）
１２ａ              Ｘ電極（電極）
１３                第２基板（基板）
１３ａ              Ｙ電極（電極）
１８                保護膜
１９ａ              第２表面処理層（第２表面処理部）
１９ｂ              第１表面処理層（第１表面処理部）
３０                電気泳動媒体
３１                帯電粒子（帯電された粒子）
３１ａ              白色帯電粒子（帯電された粒子）
３１ｂ              黒色帯電粒子（帯電された粒子）
３２                隔壁用媒体
３４                スペーサ粒子
１４                固定隔壁
【図１】
2006106119.tif 000003
【図２】
2006106119.tif 000004
【図３】
2006106119.tif 000005
【図４】
2006106119.tif 000006
【図５】
2006106119.tif 000007
【図６】
2006106119.tif 000008
【図７】
2006106119.tif 000009
【図８】
2006106119.tif 000010
【図９】
2006106119.tif 000011